(57)【特許請求の範囲】
【請求項１】
車両に搭載される表示装置（１）の表示部（１３）に表示される表示データを制御する車両用表示制御装置（１０）であって、
前記表示データに関連する受信データを外部機器（２）から無線で受信するデータ受信部（１４）と、
前記データ受信部が受信する前記受信データが記憶されるとともに、前記表示データが予め記憶されるデータ記憶部（１１）と、
前記データ記憶部が記憶する前記受信データに関連する前記表示データを前記表示部に出力するデータ出力部（１２０）とを備え、
前記表示データは、前記表示部に出力される頻度が高い高頻出表示データと前記頻度が低い低頻出表示データとに分類され、
前記受信データは、前記高頻出表示データと関連する高頻出受信データと、前記低頻出表示データと関連する低頻出受信データとに分類され、
前記データ受信部は、前記データ受信部に電源が供給されたタイミング、或いは、前記車両のドアの鍵が解除されたタイミング、或いは、前記車両のエンジンが始動したタイミングで、前記無線による前記受信データの受信を開始し、その後、前記低頻出受信データより先に前記高頻出受信データを受信完了し、
前記データ出力部は、前記データ記憶部に記憶された複数の前記表示データのうち、受信完了した前記高頻出受信データと関連する前記高頻出表示データを、前記低頻出受信データの受信完了を待たずして前記表示部に出力することを特徴とする車両用表示制御装置。
【請求項２】
前記高頻出受信データは、前記高頻出表示データ毎に関連づけられた、それぞれ異なる識別情報であり、
前記識別情報は前記高頻出表示データより、データサイズが小さいことを特徴とする、請求項１に記載の車両用表示制御装置。
【発明の詳細な説明】
【技術分野】
【０００１】
本発明は、車両用表示制御装置に関する。
【背景技術】
【０００２】
従来、表示されるデザインを変更することが可能な車両用メータが提供されている。例えば、特許文献１に記載の車両用メータはコネクタ部を備えている。そして、そのコネクタ部にＰＣカードが挿入されると、ＰＣカードからデザインを読み込み、読み込んだデザインを車両用メータに搭載されたメモリに書き込む。また、ＰＣカードは脱着可能であり、ＰＣカードをノートＰＣなどの端末に装着し、あらかじめ端末を用いて作成されたデザインがＰＣカードに記憶される。このため、ユーザはノートＰＣを用いて、メータデザインを容易に変更することが出来る。
【先行技術文献】
【特許文献】
【０００３】
【特許文献１】特開２００６−３３５０８０号公報
【発明の概要】
【発明が解決しようとする課題】
【０００４】
しかしながら、特許文献１に記載の車両用メータは、ＰＣカードが挿入され、表示されるデザインが追加または変更される際に、メモリにデザインの書き込みが完了するまで、メータデザインの表示を行わない。そのため、デザインの変更をする際に、デザインが反映されるまで、ユーザにとって煩わしい待ち時間が発生する。
【０００５】
本発明は、上記問題を鑑みてなされたもので、その目的は、デザインを変更する際に、ユーザにとって煩わしい待ち時間を低減することが出来る車両用表示制御装置を提供することである。
【課題を解決するための手段】
【０００６】
上記課題を解決するために請求項１に記載の発明は、車両に搭載される表示装置の表示部に表示される表示データを制御する車両用表示制御装置であって、
表示データに関連する受信データを外部機器から無線で受信するデータ受信部と、
データ受信部が受信する受信データが記憶されるとともに、表示データが予め記憶されるデータ記憶部と、
データ記憶部が記憶する受信データに関連する表示データを表示部に出力するデータ出力部とを備え、
表示データは、表示部に出力される頻度が高い高頻出表示データと頻度が低い低頻出表示データとに分類され、
受信データは、高頻出表示データと関連する高頻出受信データと、低頻出表示データと関連する低頻出受信データとに分類され、
データ受信部は、データ受信部に電源が供給されたタイミング、或いは、車両のドアの鍵が解除されたタイミング、或いは、車両のエンジンが始動したタイミングで、無線による受信データの受信を開始し、その後、低頻出受信データより先に高頻出受信データを受信完了し、
データ出力部は、データ記憶部に記憶された複数の表示データのうち、受信完了した高頻出受信データと関連する高頻出表示データを、低頻出受信データの受信完了を待たずして表示部に出力することを特徴とする。
【０００７】
このようにすると、表示データの内、ユーザが良く目にする高頻出表示データに関しては少なくとも、表示部に高頻出表示データが出力される前までに反映される。そのため、メータに表示する表示データを変更する際に、変更した表示データをすぐにメータに反映させることが出来ると共に、メータに表示データが表示されるまでの煩わしい待ち時間を低減することが出来る。
【図面の簡単な説明】
【０００８】
【図１】第１実施形態における表示装置の配置された様子を説明するための図である。
【図２】第１実施形態における車両用表示制御装置の構成を説明するための図である。
【図３】第１実施形態における表示装置がデータを表示している様子を示す図である。
【図４】第１実施形態における外部機器が表示データを変更している様子を示す図である。
【図５】第１実施形態において、表示データが変更された後の表示装置がデータを表示する様子を示す図である。
【図６】第１実施形態における表示装置が、起動時にデータを表示する様子を示す図である。
【図７】第１実施形態における車両用表示制御装置が、表示データを変更する一連の流れを示すフローチャートである。
【図８】第１実施形態における車両用表示制御装置が外部機器と接続する流れを示すフローチャートである。
【図９】第１実施形態における車両用表示制御装置が、外部機器から表示データを受信する様子を示すフローチャートである。
【図１０】第１実施形態における表示装置にて表示データが変更された際の処理の流れを示す図である。
【発明を実施するための形態】
【０００９】
以下、図面を参照しながら発明を実施するための複数の形態を説明する。各形態において、先行する形態で説明した事項に対応する部分には同一の参照符号を付して重複する説明を省略する場合がある。各形態において、構成の一部のみを説明している場合は、構成の他の部分については先行して説明した他の形態を参照し適用することができる。
【００１０】
（第１実施形態）
図１に示すように、ダッシュボード８０とステアリングホイール９０との間に、メータ１が設けられている。メータ１に表示されるデザインは、後述するＥＣＵ１０（図２参照）によって制御される。ＥＣＵ１０は、本実施形態における車両用表示制御装置の役割を担っている。
【００１１】
図２に示すように、ＥＣＵ１０は、バッテリ７０と接続されている。また、ＥＣＵ１０は、表示部１３とＣｏｎｔｒｏｌｌｅｒ  Ａｒｅａ  Ｎｅｔｗｏｒｋ６０（以下、ＣＡＮ６０（登録商標））を介して接続されている。また、ＥＣＵ１０は、携帯端末２と無線通信によって接続されている。
【００１２】
ＥＣＵ１０は、バッテリ７０から電源供給される。なお、本実施形態におけるＥＣＵ１０は、自車両のドアの鍵が乗車時に解除されるとバッテリ７０から電源供給が開始される。
【００１３】
ＥＣＵ１０は、表示部１３に表示される表示データを制御する。そして、ＥＣＵ１０は、携帯端末２から表示部１３に表示されるデータに関連するデータを受信する。
【００１４】
表示部１３は、液晶ディスプレイ等から構成されている。そのため、表示部１３は、ＥＣＵ１０から各種信号を受信し、受信した信号に基づいて画像を表示する。
【００１５】
次に、ＥＣＵ１０の構成について説明を行う。ＥＣＵ１０は、データ記憶部１１、マイクロコンピュータ１２、通信部１４を備えている。通信部１４は、データ受信部の役割を担っている。
【００１６】
データ記憶部１１は、メモリなどによって構成されている。そのため、データ記憶部１１は、各種データを記憶することが出来る。データ記憶部１１には、表示部１３の表示に関連する表示データが記憶されている。表示データは、表示部１３に表示される頻度が高い高頻出表示データと、表示部１３に表示される頻度が低い低頻出表示データとに分類されている。
【００１７】
高頻出表示データは、メータ１起動後からメータ１終了までに、所定時間より長く出現する表示データである。一方、低頻出表示データは、メータ１起動後からメータ１終了後までに、所定時間以内、出現する表示データである。本実施形態において、所定時間は１分である。
【００１８】
本実施形態における高頻出表示データは、表示部１３に表示されるデザインデータや、表示データの輝度や色合いなどの設定値、携帯端末２と同期された時刻である。
【００１９】
一方、低頻出表示データは、誕生日の日付情報や天気予報、表示部１３の起動時に表示されるオープニング画像などである。なお、デザインデータは、自車両の燃料の残量やシフトギア、速度計などの情報を含む画像である。そして、デザインデータ毎に、画像内の各種情報の有無や、各種情報の配置が異なる。他にも、低頻出表示データは、今日の日付、スケジュール、占い、花粉情報、紫外線情報、交通情報、車検情報、エンジン交換の日付情報、音声、通知音などがある。
【００２０】
また、高頻出表示データ及び低頻出表示データは、携帯端末２のＩＤと関連付られた状態で、データ記憶部１１に記憶されている。
【００２１】
また、データ記憶部１１は、高頻出表示データの内、データサイズが大きいデザインデータを、識別情報と関連づけた状態で記憶する。また、複数のパターンのデザインデータがあらかじめＥＣＵ１０と携帯端末２とにそれぞれ記憶されている。すなわち、ＥＣＵ１０と携帯端末２との両方には、同じデザインデータが記憶されている。そして、各デザインデータは、それぞれ識別情報と関連付けられた状態で、ＥＣＵ１０及び携帯端末２記憶されている。そのため、ＥＣＵ１０は携帯端末２からデザインデータに関連づけられている識別情報を受信することで、表示部１３に表示されるデザインデータを制御することが出来る。
【００２２】
マイクロコンピュータ１２は、各種演算処理を行うプロセッサ、演算処理の作業領域として機能するＲＡＭ、及び演算処理に用いられるプログラム等が格納されたフラッシュメモリ等によって構成されている。そのため、マイクロコンピュータ１２は、記憶されたプログラムに基づいて、演算処理を行う。本実施形態における、マイクロコンピュータ１２は、データ出力部１２０及びデータ取得部１２１の役割を担っている。
【００２３】
データ取得部１２１はデータ記憶部１１から、表示部１３に表示される表示データを取得する。具体的にデータ取得部１２１は、まずＥＣＵ１０に接続されている携帯端末２のＩＤを取得する。そして、データ取得部１２１は、その携帯端末２のＩＤに基づいて、データ記憶部１１から表示データを取得する。また、ＥＣＵ１０が携帯端末２と接続されていない場合、あらかじめ設定されている表示データを取得する。
【００２４】
データ出力部１２０は、データ取得部１２１が取得した表示データを表示部１３に出力する。
【００２５】
また、マイクロコンピュータ１２は、通信部１４を介して携帯端末２から表示データに関連するデータである受信データを受信する。受信データは、高頻出表示データに関連する高頻出受信データと、低頻出表示データに関連する低頻出受信データとに分類される。具体的に高頻出受信データは、高頻出表示データそのままのデータである時刻や設定値と、識別情報のように高頻出表示データに関連づけられたデータとの２種類が存在している。そして、低頻出受信データは、オープニング画像のような低頻出表示データそのままのデータである。
【００２６】
そのため、ＥＣＵ１０は、時刻や設定値のようにデータサイズが比較的小さいものは、携帯端末２からそのまま受信を行う。そして、ＥＣＵ１０は、デザインデータのように比較的容量が大きいものについては、デザインデータよりデータサイズが小さい識別情報を受信する。このため、ＥＣＵ１０は、携帯端末２から高頻出受信データを受信する時間を低減することが出来る。また、低頻出受信データは、低頻出表示データそのままのデータである。
【００２７】
そして、マイクロコンピュータ１２は、受信したデータをデータ記憶部１１に書き込む。そのため、ユーザは携帯端末２によって、表示部１３に表示される表示データを作成し、その作成したデータをＥＣＵ１０に送信することで、表示部１３に表示される表示データを変更することが出来る。
【００２８】
次に、表示部１３に表示される表示データが変更される様子を図３〜図５を用いて説明する。
【００２９】
図３に示すように、表示部１３には、速度表示１５、回転数表示１６及び、第１高頻出表示データ３１が表示されている。本実施形態において、ＥＣＵ１０は、表示領域１３ａに表示される表示データを変更することが出来る。
【００３０】
図４は、携帯端末２が、表示データ変更アプリを開いている様子を示している。ユーザは携帯端末２を操作し、携帯端末２に表示する表示データを設定する。そして、ＥＣＵ１０と携帯端末２とが接続される際に、携帯端末２において設定された表示データが、表示部１３に表示される。例えば、携帯端末２は、現在、第２識別情報３０と第２高頻出表示データ３２とを表示している。このため、ＥＣＵ１０と携帯端末２とが接続されると、表示部１３に第２高頻出表示データ３２が表示されるように、ＥＣＵ１０は制御を行う。同様に、携帯端末２を操作することで、低頻出表示データ設定することが出来る。
【００３１】
図５に示すように、携帯端末２によって設定された表示データが反映され、表示部１３には第２高頻出表示データ３２が表示されている。このように、ユーザは携帯端末２を操作することで、表示部１３が表示する表示データを変更することが出来る。
【００３２】
また、図６は低頻出表示データが表示されている様子の一例であり、表示部１３が起動される際の表示データを示している。
【００３３】
次に、図７〜図１０を用いて、表示部１３に表示される表示データが変更される様子を示す。
【００３４】
図７のステップＳ１０において、ＥＣＵ１０の起動処理が行われる。起動処理の詳細は、後述するステップＳ１００〜ステップＳ１０１に示す。その後、ステップＳ１１において、受信データ受信処理が行われる。受信データ受信処理の詳細は、後述するステップＳ１１０〜ステップＳ１１８に示す。なお、この処理は自車両に乗員が乗車していない状態にドアの鍵が解除された場合に開始される。
【００３５】
図８のステップＳ１００において、ＥＣＵ１０は、バッテリ７０から電源が供給される。すなわち、ＥＣＵ１０は起動される。その後、ステップＳ１０１に進む。
【００３６】
ステップＳ１０１において、ＥＣＵ１０は、携帯端末２と無線通信接続を行う。その後、処理を終了する。なお、一定時間、ＥＣＵ１０と携帯端末２との接続が確立されなければ、ＥＣＵ１０は、携帯端末２と接続することなく処理を終了する。
【００３７】
図９に示すように、ステップＳ１１０において、ＥＣＵ１０は、接続されている携帯端末２において、表示データが変更されたかどうかを検知する。具体的には、ＥＣＵ１０は、携帯端末２から変更フラグを受信し、変更フラグが１であるかどうかを検知する。変更フラグが１の場合、ステップＳ１１１に進み、そうでなければステップＳ１１８に進む。
【００３８】
ステップＳ１１１おいて、ＥＣＵ１０は、携帯端末２から高頻出受信データの受信を行う。具体的にＥＣＵ１０は、携帯端末２から識別情報や、時刻、設定値を受信する。その後、ステップＳ１１２に進む。
【００３９】
ステップＳ１１２において、ＥＣＵ１０は、高頻出受信データの受信が完了したかどうかを検知する。完了している場合、ステップＳ１１３に進み、そうでなければ、ステップＳ１１１に戻り受信を継続する。
【００４０】
ステップＳ１１３において、ＥＣＵ１０は受信した高頻出受信データに基づき、高頻出表示データを変更しデータ記憶部１１に書き込む。その後、ステップＳ１１４に進む。なお、この際に、現在記憶されている高頻出表示データは、バックアップデータとして保持しておく。このようにすると、この処理の途中で電源が供給されなくなったとしても、ＥＣＵ１０は高頻出表示データをバックアップデータから復元することが出来る。
【００４１】
ステップＳ１１４において、ＥＣＵ１０は、表示データを表示部１３に出力する。すなわち、表示部１３は表示データを表示する。その後、ステップＳ１１５に進む。このように、表示部１３に表示される表示データが変更された際には、高頻出表示データの変更に関しては、変更後１回目に、表示部１３に表示データが出力される際に反映される。
【００４２】
そのため、表示データの内、ユーザが良く目にする高頻出表示データに関しては少なくとも、表示部１３に表示データが出力される前までに反映される。従って、表示部１３に表示される表示データを変更する際に、変更した表示データをすぐに表示部１３に反映させることが出来ると共に、表示部１３に表示データが表示されるまでの煩わしい待ち時間を低減することが出来る。
【００４３】
そして、待ち時間は、ＥＣＵ１０に電源が供給されてから、表示部１３に表示データが出力されるまでの時間である。すなわち、ＥＣＵ１０と携帯端末２とが接続されてから、表示部１３に表示データが出力されるまでの時間である。
【００４４】
ステップＳ１１５において、ＥＣＵ１０は、携帯端末２から低頻出受信データの受信を行う。その後、ステップＳ１１６に進む。
【００４５】
ステップＳ１１６において、ＥＣＵ１０は、低頻出受信データの受信が完了したかどうかを検知する。完了している場合、ステップＳ１１７に進み、そうでなければ、ステップＳ１１５に戻り受信を継続する。
【００４６】
ステップＳ１１７において、ＥＣＵ１０は、受信した低頻出受信データに基づき、低頻出表示データを変更しデータ記憶部１１に書き込む。その後処理を終了する。なお、この際に、現在記憶されている低頻出表示データは、バックアップデータとして保持しておく。このようにすると、この処理の途中で電源が供給されなくなったとしても、ＥＣＵ１０は低頻出表示データをバックアップデータから復元することが出来る。
【００４７】
ステップＳ１１８において、ＥＣＵ１０は、表示部１３に表示データを出力する。すなわち、表示部１３は、表示データを表示する。その後、処理を終了する。
【００４８】
以上のように、表示部１３に表示される表示データが変更された場合、表示部１３に表示データが出力される前に、ＥＣＵ１０は、高頻出受信データを受信する。そのため、ユーザが良く目にするような高頻出表示データはすぐに反映される。そのため、表示部１３に表示される表示データの変更が行われる際に、高頻出表示データはすぐに反映することが出来ると共に、表示データの変更にかかる待ち時間を低減することが出来る。
【００４９】
図１０の処理は、ＥＣＵ１０の起動後に、定期的に行われる処理である。図１０のステップＳ１２０において、ＥＣＵ１０は、メータ１において、表示データが変更されたかどうかを検知する。変更された場合、ステップＳ１２１に進み、そうでなければ処理を終了する。そして、変更後の表示データに関連した受信データを携帯端末２に送信する。具体的な処理を以下に示す。
【００５０】
ステップＳ１２１において、ＥＣＵ１０は、携帯端末２にメータ１にて変更後の高頻出表示データに関連した、高頻出受信データを送信する。その後、ステップＳ１２２に進む。そして、ステップＳ１２２において、ＥＣＵ１０は携帯端末２にメータ１にて変更後の低頻出表示データに関連した低頻出受信データを送信する。その後、処理を終了する。このため、自車両において、メータ１が操作され、表示部１３に表示される表示データが変更された場合も、携帯端末２との同期をとることが出来る。
【００５１】
以下、本実施形態におけるＥＣＵ１０の効果について説明をする。
【００５２】
メータ１の表示部１３に表示される表示データを制御するＥＣＵ１０である。ＥＣＵ１０は、通信部１４と、データ記憶部１１と、データ出力部１２０とを備えている。通信部１４は、携帯端末２から表示データに関連する受信データを受信する。データ記憶部１１は、通信部が受信する受信データを記憶する。データ出力部１２０は、データ記憶部１１が記憶する受信データに関連する表示データを表示部１３に出力する。表示データは、表示部１３に出力される頻度が高い高頻出表示データと頻度が低い低頻出表示データとに分類されている。受信データは、高頻出表示データと関連する高頻出受信データと、低頻出表示データと関連する低頻出受信データとに分類されている。そして、通信部１４が受信する受信データと、データ記憶部１１に記憶されている受信データとが異なる場合、ＥＣＵ１０は、表示データの出力が開始される以前に次の処理を行う。通信部１４は低頻出受信データより先に高頻出受信データを受信し、低頻出受信データの受信完了を待たずしてデータ出力部１２０は表示部１３に表示データを出力する。
【００５３】
このようにすると、表示データの内、ユーザが良く目にする高頻出表示データに関しては少なくとも、表示部１３に表示データが出力されるまでに反映される。そのため、表示部１３に表示される表示データを変更する際に、変更した表示データをすぐに表示部１３に反映させることが出来ると共に、表示部１３に表示データが表示されるまでの煩わしい待ち時間を低減することが出来る。
【００５４】
また、データ記憶部１１には、複数の高頻出表示データがあらかじめ記憶されている。そして、高頻出受信データは、高頻出表示データ毎に関連づけられた、それぞれ異なる識別情報である。識別情報は高頻出表示データより、データサイズが小さい。
【００５５】
このようにすると、比較的大きいデータサイズである高頻出表示データを受信せずに、表示部１３に表示される高頻出表示データを変更することが出来る。すなわち、表示部１３に表示される高頻出表示データを変更する際に、比較的短い時間で表示部１３に表示される高頻出表示データを変更することが出来る。従って、表示部１３に表示する表示データを変更する際に、表示部１３に変更後の表示データが表示されるまでの煩わしい待ち時間をより低減することが出来る。
【００５６】
（他の実施形態）
以上、発明の好ましい実施形態について説明したが、発明は上述した実施形態に何ら制限されることなく、以下に例示するように種々変形して実施することが可能である。各実施形態で具体的に組合せが可能であることを明示している部分同士の組合せばかりではなく、特に組合せに支障が生じなければ、明示してなくとも実施形態同士を部分的に組み合せることも可能である。
【００５７】
上記実施形態では、デザインデータをあらかじめ、ＥＣＵ１０及び携帯端末２に記憶しておき、識別情報のやり取りを行うことで、表示部１３に表示されるデザインデータを変更していた。しかしながら、これに限るものではなく、デザインデータとＥＣＵ１０と携帯端末２との間で直接、デザインデータの送受信が行われることで、表示部１３に表示されるデザインデータが変更される。
【００５８】
また、ＥＣＵ１０にバッテリ７０から電源が供給されるタイミングは、自車両の鍵が解除されたタイミングとしたが、エンジン始動時のような別のタイミングとしてもよい。
【００５９】
また、上記実施形態において、ＥＣＵ１０と携帯端末２とは、無線通信で接続を行っていが、無線通信に限るものではなく、有線接続をするようにしてもよい。例えば、ＣＡＮ６０による接続やＵＳＢ接続を行うようにしてもよい。
【００６０】
また、上記実施形態において、外部機器を携帯端末２としたが、ノートＰＣやＳＤカードとしてもよい。
【００６１】
また、上記実施形態において、ＥＣＵ１０はメータ１を制御していたが、ナビゲーション装置やヘッドアップディスプレイを制御するようにしてもよい。すなわち、表示装置は、ナビゲーション装置やヘッドアップディスプレイとしてもよい。
【００６２】
また、上記実施形態では、高頻出表示データと低頻出表示データとを切り分ける基準を、メータ１起動後からメータ１終了までの表示時間としたが、これに限るものではない。例えば、メータ１起動後からメータ１終了までの出現回数としてもよい。あるいは、自車両の走行中に表示される表示データを高頻出表示データとし、自車両の停止中に表示される表示データを低頻出表示データとしてもよい。
【００６３】
また、上記実施形態では、低頻出受信データのデータサイズによらず、低頻出受信データの受信完了を待たずして、表示部１３に表示データの出力が行われている。これに限るものではなく、低頻出受信データの内、データサイズが所定値以下のものに関しては、表示部１３に表示データが出力される前にＥＣＵ１０が受信完了するようにしてもよい。
【００６４】
また、低頻出受信データに重要度の高低を設定し、重要度が高いデータに関しては、表示部１３に表示データが出力される前にＥＣＵ１０が受信完了するようにしてもよい。例えば、車両警告時の音声案内オン、オフ設定や、本日の天気予報などは、重要度が高い低頻出表示データである。
【００６５】
また、上記実施形態において、ＥＣＵ１０は、メータ１内に設けられているが、メータ１とは別に設けるようにしてもよい。
【００６６】
また、上記実施形態において、高頻出受信データの受信が完了するまで、表示部１３には高頻出表示データ及び低頻出表示データの出力が行われないようにした。しかしながら、上記実施形態に限るものではなく、高頻出受信データの受信が完了するまでの間に、表示部１３に低頻出表示データが出力されるようにしてもよい。
【００６７】
また、上記実施形態では、表示部１３に電源供給が行われていても高頻出受信データの受信が完了するまで、表示部１３に出力が行われないようにした。これに限るものではなく、高頻出受信データの受信が完了するまで、表示部１３への電源供給が開始されないようにしてもよい。
【００６８】
また、上記実施形態において、表示領域１３ａに表示される表示データが変更されたが、これに限るものではない。表示部１３の全体の領域において、表示される表示データが変更されるようにしてもよい。
【００６９】
なお、上記実施形態において、低頻出受信データは、低頻出表示データそのままのデータとしたが、これに限るものではない。すなわち、データ記憶部１１と携帯端末２との両方に低頻出表示データと関連付けられて低頻出識別情報が記憶されるようにして、低頻出受信データを低頻出識別情報としてもよい。
【符号の説明】
【００７０】
１  メータ、１０  ＥＣＵ、１１  データ記憶部、１２  マイクロコンピュータ、１２０  データ出力部、１２１  データ取得部、１３  表示部、１３ａ  表示領域、１４  通信部、１５  速度表示、１６  回転数表示、２  携帯端末、３０  第２識別情報、３１  第１高頻出表示データ、３２  第２高頻出受信データ、４１  低頻出表示データ。
【図１】
0006375746.tif 000002
【図２】
0006375746.tif 000003
【図３】
0006375746.tif 000004
【図４】
0006375746.tif 000005
【図５】
0006375746.tif 000006
【図６】
0006375746.tif 000007
【図７】
0006375746.tif 000008
【図８】
0006375746.tif 000009
【図９】
0006375746.tif 000010
【図１０】
0006375746.tif 000011